(57)【要約】  【課題】簡単な構造を用いて、転写ヘッドの近傍領域における強度を有効に高めた転写具を提供する。  【解決手段】転写用糊Ｔを紙葉類等の転写対象物に接触させる転写ヘッドＫと、この転写ヘッドＫ及び転写用糊Ｔを挟持する一対の側板１１、１２と、転写ヘッドＫの先端部Ｋａを被覆し得る転写ヘッド被覆位置（Ｐ）と転写ヘッドＫの先端部Ｋａを表出させてなる転写ヘッド表出位置（ｑ）との間で回動可能なヘッドキャップＣとを具備してなり、ヘッドキャップＣに設けた回転支軸Ｃ１１を、側板１１、１２に形成した貫通孔１１０ａ、１２０ａに枢着し、一対の側板１１、１２間にヘッドキャップＣを挟持させた。【選択図】図１
2005193410.tif 000002
【特許請求の範囲】
【請求項１】
転写物を転写対象物に転写する際に用いられる転写具であって、
前記転写物を転写対象物に接触させる転写ヘッドと、当該転写ヘッド及び前記転写物を保持する一対の側板と、前記転写ヘッドの先端部を被覆し得る転写ヘッド被覆位置と前記転写ヘッドの先端部を表出させてなる転写ヘッド表出位置との間で回動可能なヘッドキャップとを具備してなり、前記一対の側板又は前記ヘッドキャップの何れか一方に設けた回転支軸を、他方に形成した軸受け部に枢着し、前記一対の側板間に前記ヘッドキャップを挟持させていることを特徴とする転写具。
【請求項２】
前記一対の側板間に前記転写物と前記転写ヘッドと前記ヘッドキャップとを保持させてなる詰替カートリッジと、当該詰替カートリッジを着脱可能に収納するケースとを用いて構成されるものである請求項１記載の転写具。
【請求項３】
前記ヘッドキャップの前記転写ヘッド被覆位置と前記転写ヘッド表出位置との間における回動動作中において、当該ヘッドキャップが前記ケースに干渉しないように設定している請求項２記載の転写具。
【請求項４】
前記ヘッドキャップが前記転写ヘッド被覆位置又は前記転写ヘッド表出位置何れに位置する場合においても、前記詰替カートリッジを前記ケースから着脱可能に構成している請求項２又は３記載の転写具。
【請求項５】
前記ヘッドキャップが、前記転写ヘッドキャップ被覆位置において、前記転写ヘッドの先端部を収容し得る収容部と、当該収容部から前記回転支軸側に向かって延び且つ前記転写物の未使用部位を被覆し得るアーム部とを備え、前記収容部に前記ヘッドキャップの回動操作を行う際に使用者が指先を掛け得る操作部を設けている請求項１、２、３又は４記載の転写具。
【請求項６】
前記操作部を、前記収容部に一体に形成している請求項５記載の転写具。
【請求項７】
前記回転支軸を、前記一対の側板又はヘッドキャップに一体に形成している請求項１、２、３、４、５又は６記載の転写具。
【請求項８】
前記転写ヘッド被覆位置において、前記ヘッドキャップを前記転写ヘッドに係わり合わせる第１係合手段を介してヘッドキャップの回動を規制している請求項１、２、３、４、５、６又は７記載の転写具。
【請求項９】
前記転写ヘッド表出位置において、前記ヘッドキャップを前記側板に係わり合わせる第２係合手段を介してヘッドキャップの回動を規制している請求項１、２、３、４、５、６、７又は８記載の転写具。
【請求項１０】
前記第１係合手段が前記ヘッドキャップ又は前記転写ヘッドの一方に設けた凸部と、他方に設けられ前記凸部が嵌合可能な嵌合凹部とを備えている請求項８記載の転写具。
【請求項１１】
前記第２係合手段が前記ヘッドキャップ又は前記一対の側板の何れか一方に設けた凸部と、他方に設けられ前記凸部が嵌合可能な嵌合凹部とを備えている請求項９記載の転写具。
【請求項１２】
前記嵌合凹部が、肉厚方向に貫通させてなる貫通孔である請求項１０又は１１記載の転写具。
【請求項１３】
前記嵌合凹部が、所定領域を周辺領域より窪ませることにより形成したものである請求項１０又は１１記載の転写具。
【請求項１４】
前記嵌合凹部を有する部材の所定領域に、外部から加えられた力によって撓み得る弾性部を設け、当該弾性部の所定箇所に前記嵌合凹部を形成している請求項１０、１１、１２又は１３記載の転写具。
【請求項１５】
前記弾性部の周辺領域に所定のスリットを形成している請求項１４記載の転写具。
【発明の詳細な説明】
【技術分野】
【０００１】
本発明は、転写物を転写対象物に転写する際に用いる転写具に関するものであるに関するものである。
【背景技術】
【０００２】
従来より、粘着テープや粘着性を有しないテープ等のテープ類、固体又は液体のり、接着剤等の転写物を紙葉類等の転写対象物に転写する際に用いる転写具が従来から各種考えられている。このような転写具として、例えば、転写物及びこの転写物を転写対象物に接触させる転写ヘッドを保持し得る詰替カートリッジと、この詰替カートリッジを着脱可能に収納するケースとから構成しているものが知られている。このような転写具は、転写物を全て使用してしまった場合、又は転写ヘッドが損傷した場合等には、詰替カートリッジを一旦ケースから取り外し、新たな転写物及び新たな転写ヘッドを備えた詰替カートリッジと交換するように構成しているのが通例である（例えば、特許文献１参照）。また、少なくとも不使用時に転写ヘッドの先端部を被覆し、転写物を保護するヘッドキャップを転写ヘッドに枢着し、ヘッドキャップを回転支軸を中心に回転可能に設定しているものが考えられている。
【特許文献１】特開２００２−１７８６９４公報（図２等）
【発明の開示】
【発明が解決しようとする課題】
【０００３】
ところで、ヘッドキャップを転写ヘッドに枢着した場合には以下のような不具合が生じる。すなわち、詰替カートリッジの外側壁を構成する一対の側板間に前記転写具及び転写具ヘッドを挟持するとともに、転写物を転写ヘッドに導くための送路を確保するために、転写ヘッドの配設箇所近傍領域である転写具の前端部位において、当該部位の側板間に所定の空間が形成されるように設定しているのが通例であり、その結果、転写具の前端部位に側板間を直接接続する部品が存在せず、転写具の前端部位における強度が低くなり、転写具の使用時に各側板を強く保持した場合や、転写具の落下した場合に、各側板が撓み得るという不具合が生じる。一方、ヘッドキャップをケースの前端部位に枢着する態様も考えられるが、このような態様を採用した場合には、ヘッドキャップに転写物等が付着した場合やヘッドキャップが損傷した場合等、ヘッドキャップの交換を必要とする場合に、ヘッドキャップの交換作業を詰替カートリッジの交換作業とは別に行わなければならず、その作業が面倒であり今ひとつ実用性に欠けるものである。また、ヘッドキャップを、ケースに取り付けた場合には、詰替カートリッジを交換する際に、ヘッドキャップと転写ヘッドとが相互に干渉しないようにヘッドキャップを逐一所定位置へ逃がす操作が必要となり、交換作業をスムーズに行うことができないという問題も生じる。
【０００４】
本発明は、このような課題に着目してなされたものであって、主たる目的は、簡単な構造を用いて、転写ヘッドの配設箇所近傍領域における強度を有効に高めた転写具を提供することにある。
【課題を解決するための手段】
【０００５】
すなわち、本発明の転写具は、転写物を転写対象物に転写する際に用いられる転写具であって、前記転写物を転写対象物に接触させる転写ヘッドと、この転写ヘッド及び前記転写物を挟持する一対の側板と、前記転写ヘッドの先端部を被覆し得る転写ヘッド被覆位置と前記転写ヘッドの先端部を表出させてなる転写ヘッド表出位置との間で回動可能なヘッドキャップとを具備してなり、前記一対の側板又は前記ヘッドキャップの何れか一方に設けた回転支軸を、他方に形成した軸受け部に枢着し、前記一対の側板間に前記ヘッドキャップを挟持させていることを特徴とする。
【０００６】
このようなものであれば、転写具の内部から転写物を転写ヘッドに導き出すために転写ヘッドの配設箇所近傍領域における一対の側板間に所定の空間を形成したものであっても、当該部位における一対の側板間にヘッドキャップの回転支軸が位置するため、この回転支軸が側板間を直接接続する機能を果たし、転写ヘッドの近傍領域における側板間の連結強度及び転写具自体の剛性度を高めることができる。その結果、転写具の使用時や転写具の落下時に各側板が相互に相寄る方向に撓み得る虞を簡単な構造を用いて有効に回避することができ、実用性に優れたものとなる。また、転写ヘッドにヘッドキャップを取り付ける緻密な作業を経ることなく、転写具の組立作業の効率化にも資する。ここで「転写ヘッドの先端部を被覆する」とは、転写ヘッドの先端部全てを被覆する態様は勿論、転写ヘッドの先端部の一部を被覆するという態様も含む概念である。
【０００７】
また、転写具が、前記一対の側板間に前記転写物と前記転写ヘッドと前記ヘッドキャップとを保持させてなる詰替カートリッジと、この詰替カートリッジを着脱可能に収納するケースとを用いて構成されるものであれば、詰替カートリッジを交換する作業により、転写ヘッドと共にヘッドキャップをも同時に交換することができる。ヘッドキャップの良好な回転動作を実現するには、前記ヘッドキャップの前記転写ヘッド被覆位置と前記転写ヘッド表出位置との間における回動動作中において、このヘッドキャップが前記ケースに干渉しないように設定すればよい。
【０００８】
また、前記ヘッドキャップが前記転写ヘッド被覆位置又は前記転写ヘッド表出位置何れに位置する場合においても、前記詰替カートリッジを前記ケースから着脱可能に構成していれば、詰替カートリッジの交換作業毎に、ヘッドキャップがケースに干渉しないようにヘッドキャップを適宜回動させる作業を行う必要がなく、詰替カートリッジの交換作業をスムーズに行うことができる。
【０００９】
ヘッドキャップの好適な実施態様としては、ヘッドキャップが、前記転写ヘッドキャップ被覆位置において、前記転写ヘッドの先端部を収容し得る収容部と、この収容部から前記回転支軸側に向かって延び且つ前記転写物の未使用部位を被覆し得るアーム部とを備え、前記収容部に前記ヘッドキャップの回動操作を行う際に使用者が指先を掛け得る操作部を設けているものが挙げられる。この場合、前記操作部を、前記収容部に一体に形成していれば、操作部を専用の別部材を用いて構成する態様と比較して、部品点数の削減を図ることができる。
【００１０】
一方、前記回転支軸を、前記一対の側板又はヘッドキャップに一体に形成すれば、別体の軸部材を用いた態様と比較して、部品点数及びコストの削減、取付作業の簡易化を有効に図ることができる。
【００１１】
転写具の不使用時にヘッドキャップを転写ヘッド被覆位置に係止させておき、転写物を保護するには、前記転写ヘッド被覆位置において、前記ヘッドキャップを前記転写ヘッドに係わり合わせる第１係合手段を介してヘッドキャップの回動を規制すればよい。
【００１２】
他方、前記転写ヘッド表出位置において、前記ヘッドキャップを前記側板に係わり合わせる第２係合手段を介してヘッドキャップの回動を規制するように設定すれば、転写具の使用時にヘッドキャップが不意に回動することを防止し、使い勝手に優れたものとなる。
【００１３】
簡素な構造を用いて第１係合手段を構成するには、前記第１係合手段を、前記ヘッドキャップ又は前記転写ヘッドの一方に設けた凸部と、他方に設けられ前記凸部が嵌合可能な嵌合凹部とを用いて構成すればよい。同様に、前記第２係合手段を、前記ヘッドキャップ又は前記一対の側板の何れか一方に設けた凸部と、他方に設けられ前記凸部が嵌合可能な嵌合凹部とを用いて構成すれば、簡素な構造を用いて第２係合手段を構成することができるとともに、ヘッドキャップと側板との係わり合いを良好なものとすることができる。
【００１４】
特に、嵌合凹部を極めて簡単に形成するには、嵌合凹部として、部材の肉厚方向に貫通させてなる貫通孔を採用すればよく、また同様の効果を奏するには、嵌合凹部として、所定領域を、周辺領域より窪ませることにより形成したものを採用すればよい。
【００１５】
また、前記嵌合凹部を有する部材の所定領域に、外部から加えられた力によって撓み得る弾性部を設け、この弾性部の所定箇所に前記嵌合凹部を形成すれば、ヘッドキャップの回動動作中に経過的に弾性部と凸部とが相互に干渉し、さらにヘッドキャップを回動させることによって弾性部が撓み、弾性部に形成した嵌合凹部に凸部が嵌まり込む際に適度なクリック感を与え得る構造となり、良好な操作感を得ることができるとともに、嵌合凹部と凸部との嵌合状態もより良好なものとすることができる。この場合、前記弾性部の周辺領域に所定のスリットを形成すれば、簡単な構造を用いて弾性を付与することができる。
【発明の効果】
【００１６】
以上説明したように本発明の転写具によれば、転写具の内部から転写物を転写ヘッドへ導き出すために転写ヘッドの近傍領域に開口部を設けたものであっても、一対の側板間にヘッドキャップの回転支軸が位置するため、当該部位の強度を高めることができる。また、転写ヘッドにヘッドキャップを取り付ける緻密な作業を経ることなく、転写具の組立作業をよりスムーズに行うことができる。
【発明を実施するための最良の形態】
【００１７】
以下、本発明の一実施形態を、図面を参照して説明する。
【００１８】
本発明に係る転写具Ａは、例えば図１乃至図４に示すように、テープ本体Ｔａと、このテープ本体Ｔａの片面に所定のパターンで貼着した図示しない糊とからなる転写物たる転写用糊Ｔを内部に収容し、この転写用糊Ｔを転写対象物たる紙葉類等の紙面（図示省略）等に貼付するものである。
【００１９】
転写具Ａは、主として、前記転写用糊Ｔ等を保持する詰替カートリッジ１と、この詰替カートリッジ１を着脱可能に収納するケース２と、ケース２に取り付けられこのケース２に対して相対的にスライド移動可能なスライド部材３とを備えたものである。そして、使用済の転写用糊Ｔを有する詰替カートリッジ１をケース２から分離し、新品の転写用糊Ｔを有する新たな詰替カートリッジ１をケース２に組み付けることができるようにしている。そして、そのための構成としてこの転写具Ａは、スライド部材３のスライド移動に連動して、詰替カートリッジ１をスライド部材３のスライド方向と略直交する方向へ直線的に離間させる離間機構Ｘを介して詰替カートリッジ１とケース２とを分離可能に設定している。なお、以下の説明において位置もしくは方向を示す用語である「前」とは、転写ヘッドが位置する側を指し、「後」とは転写ヘッドが位置する側の反対側を指す。また、「前後方向」とは転写具の長手方向を指す。
【００２０】
詰替カートリッジ１は、図１乃至図４に示すように、主として、転写具Ａの一方の外側壁となる第２外側板１１と、この第２外側板１１に対向配置される内側板１２とから構成され、これら第２外側板１１と内側板１２との間に、巻出用スプールＳＰ１及び巻取用スプールＳＰ２に取り付けられた転写用糊Ｔと、転写用糊Ｔを紙葉類等の紙面等に接触させる転写ヘッドＫと、転写ヘッドＫの先端部Ｋａを被覆し得る転写ヘッド被覆位置（Ｐ）と転写ヘッドＫの先端部Ｋａを表出させてなる転写ヘッド表出位置（Ｑ）との間で回動可能なヘッドキャップＣとを挟み込むようにして保持している（図２参照）。なお、第２外側板１１及び内側板１２が、本発明の「一対の側板」に該当する。また、図１は、ヘッドキャップＣを転写ヘッド被覆位置（Ｐ）に位置させた状態の転写具Ａを示している。
【００２１】
第２外側板１１は、図４に図示するように、例えば合成樹脂製の薄板状をなし、本実施形態では側面視概略卵形をなすものとしている。第２外側板１１の前端部には、斜め下方に向かって延出させてなる薄板状の延出部１１０を設け、この延出部１１０の略中央部に後述するヘッドキャップＣの回転支軸Ｃ１１が挿入可能な本発明の軸受け部たる貫通孔１１０ａを形成してある。また、第２外側板１１の内側面における前端部には、転写ヘッドＫを支持し得る支持軸１１１を内側板１２側に向けて突出するように形成している。これに対して転写ヘッドＫには、前記支持軸１１１を挿入させる孔部Ｋｂが形成してある。さらに、第２外側板１１の後端部には、後方に突出させてなる嵌合爪１１２を設け、この嵌合爪１１２を、転写具Ａの使用状態（スライド部材３がスライド始端位置に位置する状態）においてスライド部材３に形成した後述する嵌合孔３２１に嵌合するように設定してある。加えて、第２外側板１１の内側面における前端部側の下端部に、内側板１２側に向けて突出させてなる凸部１１５を一体に形成している。この凸部１１５は、略円柱状をなす小突起であり、ヘッドキャップＣを前記転写ヘッド表出位置（Ｑ）に位置させた場合に、後述するヘッドキャップＣの凹部Ｃ１２ａに嵌合し得るように設定してある。なお、第２外側板１１の内側面には、内側板１２に一側端部側を支持される巻出用スプールＳＰ１及び巻取用スプールＳＰ２の他方の側端部が当接又は近接し得る所定領域に、巻出用スプールＳＰ１及び巻取用スプールＳＰ２をそれぞれ回転可能に支持する図示しない支持凹部を形成している。
【００２２】
一方、内側板１２は、例えば合成樹脂製の薄板状をなすものであり、本実施形態では後端部側を側面視略部分円弧状にするとともに、前端部側を側面視略方形状としている。この内側板１２の前端部にも、第２外側板１１と同様に、斜め下方に向かって延出させてなる延出部１２０を設け、この延出部１２０の略中央部に後述するヘッドキャップＣの回転支軸Ｃ１１が挿入可能な本発明の軸受け部たる貫通孔１２０ａを形成してある。そして、内側板１２と第２外側板１１とを組み付けた状態において、それぞれに設けた延出部１１０、１２０が対向し、延出部１１０、１２０の貫通孔１１０ａ、１２０ａに後述するヘッドキャップＣの回転支軸Ｃ１１をそれぞれ挿着することにより、ヘッドキャップＣが回転支軸Ｃ１１を支点に回動するように設定している。ヘッドキャップＣについての詳細な説明は後述する。また、内側板１２の内側面における前端部には、第２外側板１１に形成した前記支持軸１１１の先端部を受け入れる受孔１２１を形成している。また、内側板１２の後端部側及び前後方向略中央部には、巻出用スプールＳＰ１及び巻取用スプールＳＰ２をそれぞれ回転可能に支持し得る支持孔１２２、１２３を開口させている。なお、巻出用スプールＳＰ１用の支持孔１２２の直径は、巻取用スプールＳＰ２用の支持孔１２３の直径よりも大きくしてあるが、これは、巻出用スプールＳＰ１及び巻取用スプールＳＰ２の各径の大きさに対応させたためである。ここで、巻出用スプールＳＰ１及び巻取用スプールＳＰ２は、いずれも両側端部に鍔部を一体に設けた略円筒状をなしており、一側端部を前記支持孔１２２、１２３に挿入し且つ他方の側端部を前記第２外側板１１の支持凹部に挿入した状態で、内側板１２と第２外側板１１との間に回転可能に支持されている。
【００２３】
これら第２外側板１１と内側板１２とは、図４に示すように、嵌め合わせ構造となっている。そのために、第２外側板１１の内側面に、筒状部１１３ａと、本発明の突起体たる小突起１１３ｂ、１１３ｃ、１１３ｄ、１１３ｅとを内側板１２側へ突出させて設け、内側板１２の内側面には、筒状部１１３ａに内嵌し得る本発明の突起体たる小突起１２４ａと、各小突起１１３ｂ、１１３ｃ、１１３ｄ、１１３ｅをそれぞれ外嵌し得る筒状部１２４ｂ、１２４ｃ、１２４ｄ、１２４ｅとを第２外側板１１側に突出させて設けている。具体的には、第２外側板１１の前端部側に扁平な形状をなす筒状部１１３ａを形成し、前後方向略中央部における上下２箇所に小突起１１３ｂ、１１３ｃを形成し、後端部側に高さ方向に所定距離離間させて小突起１１３ｄ、１１３ｅを形成している。小突起１１３ｂ、１１３ｃ、１１３ｄ、１１３ｅは何れも突出寸法の小さい略円柱状をなしている。なお、第２外側板１１の内側面に設けた前記凸部１１５の突出寸法は、小突起１１３ｂ、１１３ｃ、１１３ｄ、１１３ｅの突出寸法よりも小さく設定している。一方、筒状部１１３ａ、各小突起１１３ｂ、１１３ｃ、１１３ｄ、１１３ｅの形成箇所に対応させて内側板１２の所定箇所に小突起１２４ａ、筒状部１２４ｂ、１２４ｃ、１２４ｄ、１２４ｅを設けている。前端部側の小突起１２４ａは、筒状部１１３ａの形状に薄板状に設定しており、筒状部１２４ｂ、１２４ｃ、１２４ｄ、１２４ｅは略円筒状をなしている。また、これら小突起１２４ａ、及び筒状部１２４ｂ、１２４ｃ、１２４ｄ、１２４ｅは、内側板１２の周縁部に設けられている。しかして、本実施形態においては、前後方向略中央部に設けた上下２つの筒状部１２４ｂ、１２４ｃの外周面に連続させて突起部１２５ａ、１２５ｂを一体に設けている。突起部１２５ａは、筒状部１２４ｂの外周面からさらに上方に向かって突出させたものであり、他方、突起部１２５ｂは、筒状部１２４ｃの外周面からさらに下方に向かって突出させたものであり、それぞれ平面視略部分円弧状をなしている。そして、第２外側板１１と内側板１２とを組み付けた状態において、突出部１２５ａの上縁が第２外側板１１の上縁より若干下方に位置するとともに、突出部１２５ｂの下縁が第２外側板１１の下縁より若干上方に位置するように設定してある。
【００２４】
前記転写ヘッドＫは、図５（同図（ａ）は全体斜視図、同図（ｂ）は（ａ）におけるＭ方向矢視側面図、同図（ｃ）は底面図をそれぞれ示す）に示すように、一対の対向板Ｋ１間にローラＫｒを保持させたものである。具体的には、各対向板Ｋ１の下端部における外側面に肉薄部Ｋ１１を形成するとともに、各肉薄部Ｋ１１の先端部に貫通孔Ｋ１１ｂを形成し、これら貫通孔Ｋ１１ｂにローラＫｒの回転支軸Ｋ２の側端部をそれぞれ挿入することにより、このローラＫｒを回転支軸Ｋ２を中心に回転可能に設定している。なお、一方の貫通孔Ｋ１１ｂの下縁に、下方に連通させてなる切欠きＫ１１ｃを形成し、ローラＫｒ及び回転支軸Ｋ２の取付作業の容易化を図っている。つまり、回転支軸Ｋ２の一側端部を、切欠きＫ１１ｃを形成していない他方の貫通孔Ｋ１１ｂに挿入し、次いで回転支軸Ｋ２の他方の側端部を、前記切欠きＫ１１ｃを介して前記一方の貫通孔Ｋ１１ｂに挿着できるように設定している。また、各肉薄部Ｋ１１には、それぞれ外方に突出させてなる凸部Ｋ１１ａを設けている。各凸部Ｋ１１ａは概略部分球状をなし、ヘッドキャップＣを前記転写ヘッド被覆位置（Ｐ）に位置させた場合に、後述するヘッドキャップＣの嵌合孔Ｃ２２ａに嵌合するように設定している。ここで、本実施形態における転写ヘッドＫの先端部Ｋａとは、対向板Ｋ１間に保持された前記ローラＫｒの先端部を指す。
【００２５】
ヘッドキャップＣは、図６（同図（ａ）は全体斜視図、同図（ｂ）は（ａ）におけるＮ方向矢視側面図、同図（ｃ）は（ｂ）におけるＡ−Ａ線断面図をそれぞれ示す）に示すように、前述した第２外側板１１、内側板１２の延出部１１０、１２０に形成した貫通孔１１０ａ、１２０ａに枢支される回転支軸Ｃ１１を基端部近傍領域に設けたものである。なお、当該段落においてヘッドキャップの位置若しくは方向を示す「基」又は「後」は、ヘッドキャップＣを転写ヘッドキャップ被覆位置（Ｐ）に位置させた場合における転写具Ａの後方側を指し、「先」又は「前」は、ヘッドキャップＣを転写ヘッドキャップ被覆位置（Ｐ）に位置させた場合における転写具Ａの前方側を指す。具体的に、このヘッドキャップＣは、基端部から前方に向かって延びるアーム部Ｃ１と、アーム部Ｃ１の先端部位に前記転写ヘッドキャップ被覆位置（Ｐ）において転写ヘッドＫの先端部Ｋａを収容し得る収容部Ｃ２とを有する一体成形品である。アーム部Ｃ１は略薄板状をなし、側面形状を先端部に向かって反り返りながら漸次上方に向かって延びる形状に設定している。このアーム部Ｃ１の基端部における両側端部からそれぞれ側方に突出させて前記回転支軸Ｃ１１を形成している。この回転支軸Ｃ１１は、略円柱状をなし、その径を、前記第２外側板１１、内側板１２の延出部１１０、１２０に形成した貫通孔１１０ａ、１２０ａの径より若干小さく設定している。また、アーム部Ｃ１の長手方向略中央部から先端部における両側縁からそれぞれ起立させてなる起立片Ｃ１３を形成し、一方の起立片Ｃ１３の一部に、弾性可能な弾性部Ｃ１２を形成している。この弾性部Ｃ１２は、その前後及び内方に連続して形成されたスリットＣ１Ｓにより起立片Ｃ１３の他の部位とは一部非連続的な構成を有し、外部から加えられた力によって若干撓み得るように設定されている（同図（ｂ）、（ｃ）参照）。そして、弾性部Ｃ１２の略中央部に周辺領域より窪ませてなる本発明の嵌合凹部たる凹部Ｃ１２ａを形成している。この凹部Ｃ１２ａは側面視円形をなし、ヘッドキャップＣを前記転写ヘッド表出位置（Ｑ）に位置させた場合に、前記詰替カートリッジ１の第２外側板１１に設けた凸部１１５と相互に嵌合するように設定してある。収容部Ｃ２は、アーム部Ｃ１の長手方向略中央部から先端部位に亘る領域における両側縁部に設けた前記起立片Ｃ１３の上端部からそれぞれ側方に延出する底板Ｃ２１と、各底板Ｃ２１の側縁部から起立して相互に対向する一対の対向板Ｃ２２と、対向板Ｃ２２同士の前縁側を連絡するように設けられる前板Ｃ２３とを有し、これら底板Ｃ２１、対向板Ｃ２２及び前板Ｃ２３により上方及び後方を開放させてなる収容空間Ｃ２Ｓを形成している。また、各対向板Ｃ２２の上端部に、肉厚方向に貫通させてなる本発明の嵌合凹部たる嵌合孔Ｃ２２ａをそれぞれ形成している。これら嵌合孔Ｃ２２ａは、ヘッドキャップＣを転写ヘッド被覆位置（Ｐ）に位置させた場合に、転写ヘッドＫの対向板Ｋ１に設けた凸部Ｋ１１ａが嵌合するように設定してある。さらに、前板Ｃ２３の上端部に、前方に突出させてなり、前記ヘッドキャップＣの回動操作を行う際に使用者が指先を掛け得る操作部Ｃ２３１を一体に設けている。以上の構成を有するヘッドキャップＣは、前述したように、第２外側板１１と内側板１２とを組み付ける際に、回転支軸Ｃ１１を、第２外側板１１、内側板１２の延出部１１０、１２０に形成した貫通孔１１０ａ、１２０ａにそれぞれ挿着することにより、第２外側板１１と内側板１２と間に挟持された状態で回転支軸Ｃ１１を中心に回転可能に取り付けられる。
【００２６】
他方、ケース２は、図１乃至図４に示すように、前記第２外側板１１と対をなして転写具Ａの外側壁を構成する第１外側板２１と、この第１外側板２１の上縁及び下縁からそれぞれ第１外側板２１と略直交する方向に起立させてなる上下一対の起立板２２、２３とを備えたものである。そして、ケース２に詰替カートリッジ１を組み付けた状態において、これら上下一対の起立板２２、２３が、第２外側板１１の上縁及び下縁との間を略閉塞するように設定してある。
【００２７】
第１外側板２１は、第２外側板１１と同様に、例えば合成樹脂製の薄板状をなすものであり、後端部側に後述するスライド部材３を取り付け可能に構成し、本実施形態ではスライド部材３を後端部側取り付けた状態における側面視形状を、詰替カートリッジ１の第２外側板１１の側面視形状に略対応するように設定している。この第１外側板２１の内側面に、前記巻出用スプールＳＰ１及び巻取用スプールＳＰ２を回転駆動するための大径な巻出用ギアＧ１と、巻出用ギアＧ１と噛合しより小径な巻取用ギアＧ２とを取付可能に構成している。巻出用ギアＧ１は、巻出用ギアＧ１の中央部に形成した挿通孔を第１外側板２１の後端部側に形成した軸２１１に挿通させ、次いでこの軸２１１にコアＨ１を脱落不能に取り付けることにより、外側板２１の内側面に取り付けられている。一方、巻取用ギアＧ２は、コアＨ２を一体に有するものであり、その中央部に形成した挿通孔を第１外側板２１の前後方向略中央部より若干前端部側に形成した軸２１２に挿通させることにより、外側板２１の内側面に取り付けられている。そして、ケース２と詰替カートリッジ１とを嵌め合わせた際に、コアＨ１の外周が巻出用スプールＳＰ１の内周と噛み合うととともに、コアＨ２の外周が巻取用スプールＳＰ２の内周と噛み合うようにしている。また、第１外側板２１の中央部には、前後方向に延びるスリット２１４を上下に対をなして形成し、このスリット２１４を利用して後述するスライド部材３を前後方向にスライド移動可能に取り付けるている。
【００２８】
一方、起立板２２、２３は、それぞれ所定の肉厚を有するものであり、ケース２に詰替カートリッジ１を嵌め合わせた際に、詰替カートリッジ１の内側板１２に設けた突起部１２５ａ、１２５ｂが嵌まり込む溝２２１、２３１と、第２外側板１１の内側面側の周縁部が当接し得る当接片２２２、２３２とを一体に有する。溝２２１、２３１は、各起立板２２、２３の起立方向に沿ってそれぞれ設けた一対のリブ２２１ａ間、及び２３１ａ間に形成されたものであり、前記突起部１２５ａ、１２５ｂを設けた箇所に対応する所定箇所に形成してある。そして、各溝２２１、２３１は、それぞれ一方の端部を詰替カートリッジ１側に開口させてなる開口縁とし、この開口縁を利用して詰替カートリッジ１の突起部１２５ａ、１２５ｂを挿脱可能に構成している。当接片２２２、２３２は、起立板２２、２３の先端部から、他方の起立板２３、２２に向かって第１外側板２１と略平行をなすように若干突出させたものである。各当接片２２２、２３２は、リブ２２１ａ同士の間、及びリブ２３１ａ同士の間には設けず、各溝２２１、２３１の開口縁が詰替カートリッジ１側に開口するように設定している。なお、ケース２に詰替カートリッジ１を嵌め合わせた際に、起立板２２、２３と第２外側板１１の外側面とが略面一となるように、当接片２２２、２３２を薄肉に設定している。
【００２９】
スライド部材３は、図１乃至図４に図示するように、第１外側板２１に形成した上下一対のスリット２１４に沿って、すなわち第１外側板２１の前後方向に沿ってスライド移動するものであり、第１外側板２１の外側面に沿って配置される側板３１と、ケース２の後端部側の略全域を覆うように設けられる操作板３２とを一体成形してなる、例えば合成樹脂製の平面視Ｌ字形をなす部材である。なお、側板３１の外側面が、第１外側板２１の外側面と略面一となるように配置されており、そのために、第１外側板２１の外側面には、前記スリット２１４の周囲を前記側板３１の形状に対応するように所定領域を窪ませている。また、操作板３２は、ケース２の起立板２２、２３の後端部側の湾曲形状に沿って側面視概略部分円弧状に湾曲させたものであり、内側面の中央部に、詰替カートリッジ１の第２外側板１１の後端部に設けた嵌合爪１１２が嵌合する嵌合孔３２１を形成するとともに、外側面における両端部に一対の操作部３２２を形成している。ここで、これら操作部３２２は、使用者の指掛かりを良好なものとするために外方へ突出した形状としているが、外側面を部分的に窪ませた形状であってもよい。また、各操作板３２の一端部からそれぞれ前方に向けて突出させた鉤状の係止片３２３を形成している。このような構成を有するスライド部材３に対してケース２は、起立板２２、２３の後端部に前記係止片３２３が係合可能な係止孔２２４、２３４を形成している。そして、一対の係止片３２３と、これら係止片３２３に対応する係止孔２２４、２３４とによって係止手段を構成し、係止片３２３と係止孔２２４、２３４とをそれぞれ相互に係り合わせることによって、スライド始端位置においてスライド部材３をケース２に安定保持させている。以上の構成により、スライド部材３をケース２に取り付け、且つ詰替カートリッジ１をケース２に組み付けた組立状態では、スライド部材３は、嵌合孔３２１と嵌合爪１１２との嵌合により詰替カートリッジ１と密接に関連付けられ、係止片３２３と係止孔２２４、２３４との係合によりケース２と係り合った状態となる。
【００３０】
このよう構成を有する転写具Ａを紙面等に接触させて所定方向にスライドさせると、転写ヘッドＫの先端部Ｋａと紙面等との間に挟まれた転写用糊Ｔが摩擦力で巻出用ギアＧ１と共に回転する巻出用スプールＳＰ１から送り出され、テープ本体Ｔａの片面に貼着した糊が紙面に貼付されると同時に、巻出用ギアＧ１に伴って逆回転する巻取用ギアＧ２と共に巻取用スプールＳＰ２が回転することによって、片面に糊を有しないテープ本体Ｔａが巻取用スプールＳＰ２に巻き取られることになる。なお、第２外側板１１の外側面側に設けた側面視部分円弧状のスリット１１４から、巻出用スプールＳＰ１の外側面に円周方向に沿って間欠的に設けた図示しない丸溝に、ドライバやペン等先端部に尖った部位を有する適宜の工具又は筆記具等を差し込んで巻出用スプールＳＰ１を回転させると、それに伴って巻取用スプールＳＰ２も連動して回転することにより転写具Ａ内での転写用糊Ｔの緩みを調整できるようにしている。
【００３１】
そして、この転写具Ａは、スライド部材３を所定方向へスライド移動させることにより、詰替カートリッジ１とケース２とを分離可能に構成し、スライド部材３、詰替カートリッジ１及びケース２を相互に関連づけて離間機構Ｘを形成している。離間機構Ｘは、ケース２の上下のスリット２１４内に挿入されるように側板３１の内側面側に形成した上下一対の突部３１１と、同じくスリット２１４内に挿入されるように前記詰替カートリッジ１の内側板１２においてケース２側に向けて形成した上下一対の離間誘発部１２６とから構成されている。この離間誘発部１２６は薄板状をなすものであり、前端部側を向いて傾斜するテーパ面１２６ａを形成している。本実施形態においてこのテーパ面１２６ａは、平面視略部分円弧状をなして緩やかに湾曲するものとしている。そして、このような離間誘発部１２６を、突部３１１のスライド移動線上であるスリット２１４に挿入して待機させている。一方、前記突部３１１も薄板状の鉤形をなしており、後端部側を向いて傾斜するテーパ面３１１ａを形成している。この傾斜面３１１ａは、離間誘発部１２６のテーパ面１２６ａに対応して部分円弧状をなして湾曲させている。また、転写具Ａの使用時にはスライド部材３をスライド始端位置に留めておくために、スライド始端位置にスライド部材３を位置させた状態において突部３１１の先端部を収容し得る収容部１２７を、内側板１２の外側面上に形成している（図３、図４参照）。
【００３２】
一方、スライド部材３がスライド動作に伴って後方に抜出しないように、スライド部材３に、突部３１１よりも後方位置において上下のスリット２１４内に挿入される上下一対の小突部３１２を形成し、スライド部材３を所定距離後方へスライド移動させた時点（スライド終端位置）で、小突部３１２がスリット２１４に形成した図示しないストッパ部に当接するように設定している。このストッパ部として、例えばスリット２１４の開口幅を小さく設定することによって小突部３１１が当接するようにしたもの、又はスリット２１４の開口縁そのものを利用して構成したものを採用すればよい。
【００３３】
次に、本実施形態における詰替カートリッジ１とケース２との分離手順について、図７を参照して説明する。なお、図７は一部を省略して示す要部拡大平面図である。先ず、詰替カートリッジ１とケース２とを組み付けてなる組立状態（同図（ａ）参照）において、使用者が一方の手でケース２の起立板２２、２３を保持し、他方の手でスライド部材３に設けた一対の操作部３２２を相互に相寄る方向に押圧しながらスライド始端位置に位置するスライド部材３をケース２に対して後方へスライド移動させる。この操作に伴って、係止片３２３と係止孔２２４、２３４との係合状態（係止手段における係合状態）、及び嵌合爪１１２と嵌合孔３２１との嵌合状態がそれぞれ解除されるとともに、スライド部材３の突部３１１がスリット２１４内で詰替カートリッジ１の内側板１２に設けた離間誘発部１２６と干渉し始める。さらにスライド部材３を後方へスライド移動させると、突部３１１のテーパ面３１１ａが離間誘発部１２６のテーパ面１２６ａに当接し、スライド部材３が詰替カートリッジ１の内側板１２に漸次乗り上げる（同図（ｂ）参照）。その際、内側板１２に設けた一対の突起部１２５ａ、１２５ｂが、ケース２の起立板２２、２３に形成した溝２２１、２３１に各々案内されることにより、詰替カートリッジ１がスライド部材３のスライド方向と略直交する方向に沿って略直線状に浮き上がりケース２から徐々に分離する。そして、スライド部材３を所定距離後方へスライド移動させスライド終端位置に達すると、スライド部材３の小突部３１２がスリット２１４に形成した図示しないストッパ部に当接し、それ以上のスライド移動が規制される。この状態において、使用者が詰替カートリッジ１をそのままスライド部材３のスライド方向と略直交する方向に沿って移動させることにより、詰替カートリッジ１とケース２とを分離させることができる。他方、新たな交換カートリッジ１をケース２に組み付けるには、ケース２の起立板２２、２３に形成した溝２２１、２３１に、新たな詰替カートリッジ１の突起部１２５ａ、１２５ｂを案内させながら詰替カートリッジ１とケース２とを徐々に近付けるだけでよい。この操作に伴って、詰替カートリッジ１がスライド部材３のスライド方向と略直交する方向に沿って略直線状に移動し、詰替カートリッジ１の第２外側板１１の内側面がケース２の起立板２２、２３に設けた当接片２２２、２３２に当たる（なお、図４では当接片を省略している）。この際、前記溝２２１、２３１が詰替カートリッジ１の取付箇所を示唆する取付案内部としても機能する。なお、詰替カートリッジ１のケース２への取付時に、詰替カートリッジ１の内側板１２に設けた離間誘発部１２６と、スライド部材３の突部３１１とが干渉しないように、予めスライド部材３をスライド始端位置側へ移動させておき、詰替カートリッジ１をケース２に取り付けた後、スライド部材３をさらに前方へスライド移動させることにより、詰替カートリッジ１の外側板１１に設けた嵌合爪１１１２がスライド部材３に形成した嵌合孔３２１に嵌合するとともに、ケース２の起立板２２、２３に形成した係止孔２２４、２３４とスライド部材３に設けた係止片３２３とが係合し、安定した組付状態となる。また、スライド終端位置にスライド部材３が位置する状態において、ケース２の溝２２１、２３１に、新たな詰替カートリッジ１の突起部１２５ａ、１２５ｂを案内させながら詰替カートリッジ１とケース２とを徐々に近付けることにより、経過的に詰替カートリッジ１の離間誘発部１２６のテーパ面１２６ａと、スライド部材３の突部３１１のテーパ面３１１ａとが相互に干渉し、さらに詰替カートリッジ１とケース２とを徐々に近付ける操作に連動して、スライド部材３がケース２に対して相対的に前方に向かってスライド移動するように設定してもよい。
【００３４】
しかして、本実施形態においては、ヘッドキャップＣが前記転写ヘッド被覆位置（Ｐ）と、前記転写ヘッド表出位置（Ｑ）との間で回動可能に設定している。
【００３５】
次にこのヘッドキャップＣの操作方法を説明する。
【００３６】
先ず、回動可能なヘッドキャップＣを、転写ヘッド被覆位置（Ｐ）に位置させるには、ヘッドキャップＣの前端部に設けた操作部Ｃ２３１を把持してヘッドキャップＣの回転支軸Ｃ１１を支点に上方に向かって回動させる。すると、経過的に転写ヘッドＫの対向板Ｋ１に設けた凸部Ｋ１１ａと、ヘッドキャップＣの収容部Ｃ２を構成する各対向板Ｃ２２の内側面とが相互に軽く干渉し、さらにヘッドキャップＣを同一方向に向かって回動させることにより転写ヘッドＫの凸部Ｋ１１ａがヘッドキャップＣの嵌合孔Ｃ２２ａに嵌まり込み、ヘッドキャップＣが転写ヘッドＫに係合した状態となる。その結果、ヘッドキャップＣが転写ヘッド被覆位置（Ｐ）においてその姿勢で保持される。この際、転写ヘッドＫの凸部Ｋ１１ａ及びヘッドキャップＣの嵌合孔Ｃ２２ａが、転写ヘッド被覆位置（Ｐ）において、ヘッドキャップＣを転写ヘッドＫに係わり合わせる本発明の第１係合手段Ｉとして機能する。この転写ヘッド被覆位置（Ｐ）において、転写ヘッドＫの先
端部ＫａがヘッドキャップＣの収容部Ｃ２の収容空間Ｃ２Ｓに収容されることにより転写用糊Ｔを保護するとともに、アーム部Ｃ１が転写用糊Ｔの未使用部分を下方から被覆することにより、当該部位に位置する転写用糊Ｔを保護する。一方、転写ヘッド被覆位置（Ｐ）にあるヘッドキャップＣを転写ヘッド表出位置（Ｑ）に位置させるには、ヘッドキャップＣの操作部Ｃ２３１を把持してヘッドキャップＣの回転支軸Ｃ１１を支点に下方に向かって回動させる。すると、転写ヘッドＫの凸部Ｋ１１ａとヘッドキャップＣの嵌合孔Ｃ２２ａとの嵌合状態（第１係合手段Ｉの係合状態）が解除されるとともに、経過的にヘッドキャップＣのアーム部Ｃ１の先端部位が第２外側板１１と内側板１２との間に形成された空間に入り込み、第２外側板１１の内側面に設けた凸部１１５と、ヘッドキャップＣのアーム部Ｃ１に設けた弾性部Ｃ１２とが相互に軽く干渉する。さらにヘッドキャップＣを同一方向に向かって回動させることによりヘッドキャップＣの弾性部Ｃ１２が若干撓み、引き続きヘッドキャップＣを同一方向に向かって回動させることにより弾性部Ｃ１２に形成した凹部Ｃ１２ａと第２外側板１１の嵌合孔Ｃ２２ａとが嵌合し、ヘッドキャップＣが第２外側板１１に係合した状態となる。つまり、弾性部Ｃ１２に形成した凹部Ｃ１２ａと第２外側板１１の嵌合孔Ｃ２２ａとを嵌合させることにより、ヘッドキャップＣが詰替カートリッジ１に係合した状態となる。その結果、ヘッドキャップＣが転写ヘッド表出位置（Ｑ）においてその姿勢で保持される。この際、第２外側板１１の凸部１１５及びヘッドキャップＣの凹部Ｃ１２ａが、転写ヘッド表出位置（Ｑ）において、ヘッドキャップＣを第２外側板１１に係わり合わせる本発明の第２係合手段ＩＩとして機能する。この転写ヘッド表出位置（Ｑ）において、転写ヘッドＫの先端部Ｋａは露出した状態となる。なお、この転写ヘッド表出位置（Ｑ）に位置するヘッドキャップＣを転写ヘッド被覆位置（Ｐ）に位置させるには、ヘッドキャップＣの操作部Ｃ２３１を把持してヘッドキャップＣの回転支軸Ｃ１１を支点に、ヘッドキャップを転写ヘッド表出位置（Ｑ）に位置させる場合とは反対の方向に回動させればよい。これにより、第２外側板１１の凸部１１５とヘッドキャップＣの凹部Ｃ１２ａとの嵌合状態（第２係合手段ＩＩの係合状態）が解除されるとともに、さらに所定角度回動させると、転写ヘッドＫの凸部Ｋ１１ａがヘッドキャップＣの嵌合孔Ｃ２２ａに嵌まり込み、ヘッドキャップＣが転写ヘッド被覆位置（Ｐ）で保持される。また、本実施形態においてはヘッドキャップＣが転写ヘッド被覆位置（Ｐ）、転写ヘッド表出位置（Ｑ）何れに位置する場合であっても、ヘッドキャップＣ自体が詰替カートリッジ１に保持された状態であるため、詰替カートリッジ１とケース２との分離作業に際してヘッドキャップＣがケース２に干渉することがない。さらに、転写ヘッド被覆位置（Ｐ）と転写ヘッド表出位置（Ｑ）との間におけるヘッドキャップＣの回動動作中においても、ヘッドキャップＣがケース２と干渉しないように設定してある。
【００３７】
このように、本実施形態の転写具Ａは、ヘッドキャップＣに設けた回転支軸Ｃ１１を、第２外側板１１及び内側板１２に形成した貫通孔１１０ａ、１２０ａに枢着し、これら第２外側板１１と内側板１２との間にヘッドキャップＣを挟持させている構造であるため、第２外側板１１と内側板１２との間に回転支軸Ｃ１１を介してヘッドキャップＣが位置し、詰替カートリッジ１の前端部位における第２外側板１１及び内側板１２の組付強度、及び当該部位自体の剛性度を有効に高めることができる。その結果、転写具Ａの使用時や転写具Ａの落下時に第２外側板１１及び内側板１２が相互に相寄る方向に撓み得る虞を簡単な構造を用いて有効に回避することができ、実用性に優れたものとなる。加えて、第２外側板１１及び内側板１２に形成した貫通孔１１０ａ、１２０ａに回転支軸Ｃ１１を挿通させる態様であるため、転写ヘッドにヘッドキャップを取り付ける態様と比較して、緻密な作業を経ることなく取付作業の簡便性をも高めることができる。
【００３８】
特に、転写具Ａが、主として、詰替カートリッジ１と、この詰替カートリッジ１を着脱可能に収納するケース２とからなり、詰替カートリッジを構成する第２外側板１１と内側板１２との間に転写用糊Ｔ、転写ヘッドＫ、及びヘッドキャップＣを保持させているため、この詰替カートリッジ１を交換する作業により、転写ヘッドＫと共にヘッドキャップＣをも同時に交換することができる。これにより、転写用糊ＴがヘッドキャップＣに付着した場合であっても、詰替カートリッジ１を交換することで新品のヘッドキャップＣに交換することができ、ケースにヘッドキャップを取り付けた態様と比較して、簡単にヘッドキャップＣを交換することができる。しかも、ヘッドキャップＣと転写ヘッドＫとを共に詰替カートリッジ１に保持させることにより、ケースにヘッドキャップを取り付けた場合に必要な作業、すなわち、詰替カートリッジを交換する際に、ヘッドキャップと転写ヘッドとが相互に干渉しないようにヘッドキャップを逐一所定位置へ逃がす操作が不要となり、詰替カートリッジ１の交換作業をよりスムーズに行うことができる。
【００３９】
また、転写ヘッド被覆位置（Ｐ）と転写ヘッド表出位置（Ｑ）との間におけるヘッドキャップＣの回動動作中において、ヘッドキャップＣがケース２に干渉しないように設定しているため、ヘッドキャップＣの良好な回転動作を実現することができる。また、ヘッドキャップＣとケース２との干渉による部品の損傷が生じないため、転写具Ａの長寿命化にも資する。
【００４０】
加えて、ヘッドキャップＣが転写ヘッド被覆位置（Ｐ）又は転写ヘッド表出位置（Ｑ）何れに位置する場合においても、詰替カートリッジ１を２ケースから着脱可能に構成しているため、詰替カートリッジ１の交換作業毎に、ヘッドキャップＣとケース２とが相互に干渉しないようにヘッドキャップＣを逐一所定箇所へ逃がさなければならない煩雑な手間を有効に解消することができ、詰替カートリッジ１の交換作業の簡便性をさらに高めることができる。
【００４１】
ヘッドキャップＣが、転写ヘッドキャップ被覆位置（Ｐ）において、転写ヘッドＫの先端部Ｋａを収容し得る収容部Ｃ２と、収容部Ｃ２から回転支軸Ｃ１１側に向かって延び且つ転写物Ｔの未使用部位を被覆し得るアーム部Ｃ１とを備えているため、転写ヘッドＫの先端部Ｋａのみならず、転写用糊Ｔの未使用部位をもアーム部Ｃ１によって被覆することができ好適である。加えて、収容部Ｃ２にヘッドキャップＣの回動操作を行う際に使用者が指先を掛け得る操作部Ｃ２３１を設けることにより、操作部Ｃ２３１が回転支軸Ｃ１１から所定距離離間した位置に設定され、その結果、操作部Ｃ２３１に対する操作力が小さい場合であってもヘッドキャップＣが回動し易くなり、軽い操作感でヘッドキャップＣを回動させることができ、使い勝手に優れたものとなる。
【００４２】
さらに、操作部Ｃ２３１を、収容部Ｃ２に一体に形成しているため、部品点数の削減を図るとともに、操作部Ｃ２３１自体の強度をも有効に高めることができる。
【００４３】
また、回転支軸Ｃ１１を、ヘッドキャップＣに一体に形成しているため、別体の軸部材を用いた態様と比較して、部品点数及びコストの削減、取付作業の簡易化を有効に図ることができる。
【００４４】
転写ヘッド被覆位置（Ｐ）において、ヘッドキャップＣを転写ヘッドＫに係わり合わせる第１係合手段Ｉを介してヘッドキャップＣの回動を規制しているため、転写具Ａの不使用時にヘッドキャップＣを転写ヘッド被覆位置（Ｐ）に係止させておくことができ、転写用糊Ｔが不意に紙面や別部材等に付着することを防止することができる。他方、転写ヘッド表出位置（Ｑ）において、ヘッドキャップＣを第２外側板１１に係わり合わせる第２係合手段ＩＩを介してヘッドキャップＣの回動を規制しているので、転写具Ａの使用時にヘッドキャップＣが不意に回動することを防止し、実用性に優れたものとなる。
【００４５】
特に、第１係合手段ＩをヘッドキャップＣに形成した嵌合孔Ｃ２２ａと、転写ヘッドＫに設けた凸部Ｋ１１ａとを用いて構成しているため、簡素な構造を用いて第１係合手段Ｉを構成することができるとともに、凸部Ｋ１１ａと嵌合孔Ｃ２２とを嵌合させることによりヘッドキャップＣと転写ヘッドＫとの係わり合いを良好なものとすることができる。
【００４６】
他方、第２係合手段ＩＩをヘッドキャップＣに形成した嵌合孔Ｃ１２ａと、第２外側板１１に設けた凸部１１５とを用いて構成しているため、やはり簡素な構造を用いて第２係合手段ＩＩを構成することができるとともに、凸部１１５と嵌合孔Ｃ１２ａとを嵌合させることによりヘッドキャップＣと第２外側板１１との係わり合いを良好なものとすることができる。
【００４７】
なお、本発明は、以上に詳述した実施形態に限られるものではない。
【００４８】
例えば、前記第２外側板及び／又は内側板（以下、一対の側板と称す）に回転支軸を設け、ヘッドキャップに回転支軸を挿入させる軸受け部たる孔部を形成し、回転支軸を孔部に枢着することにより、一対の側板間にヘッドキャップを挟持させてもよい。この場合、各側板にそれぞれ他方の側板に向かって突出するように回転支軸を設けても、あるいは何れか一方の側板にのみ他方の側板に向かって突出させてなる回転支軸を設けてもよい。特に後者の場合には、他方の側板に回転支軸の先端部を保持し得る保持部を適宜設けていることが好ましい。
【００４９】
また、第１係合手段を構成する凸部をヘッドキャップに設けるとともに、凸部に嵌合可能な嵌合凹部を転写ヘッドに形成してもよい。また、第２係合手段を構成する凸部をヘッドキャップに設けるとともに、凸部と嵌合可能な嵌合凹部を一対の側板に形成してもよい。このような第１係合手段、第２係合手段であっても上記と同様の効果を得ることができる。さらに、各係合手段における嵌合凹部は、部材の肉厚方向に貫通させてなる貫通孔、また、周辺領域より肉薄に設定させてなるいわゆる窪み、又は有底の溝状のもの等、嵌合する対象である突部が嵌合し得るものであればどのような形状のものであっても構わない。同様に突部の形状も特に上記実施形態に限られないのは勿論である。
【００５０】
さらに、上記実施形態においては、詰替カートリッジとケースとを用いて構成される転写具について説明したが、いわゆる使い切りタイプの転写具であってもよい。この場合、転写具の外側壁を構成する一対の側板間にヘッドキャップを保持し、一対の側板又はヘッドキャップの何れか一方に設けた回転支軸を他方に形成した軸受け部に枢着し、前記一対の側板間に前記ヘッドキャップを挟持させる構成を採用することにより、上記実施形態と同様の効果を得ることができる。
【００５１】
また、転写ヘッド被覆位置において、転写ヘッドの先端部の全てを被覆するようにヘッドキャップの形状を適宜設定しても構わない。
【００５２】
また、転写物としての転写用糊は、固体又は液体のり何れであってもよく、その他、修正テープや粘着テープ、粘着性を有しないテープ等のテープ類、接着剤等、転写対象物に転写される転写物一般に対して適用可能なものである。
【００５３】
その他、各部の具体的構成についても上記実施形態に限られるものではなく、本発明の趣旨を逸脱しない範囲で種々変形が可能である。
【図面の簡単な説明】
【００５４】
【図１】本発明の一実施形態に係る転写具を示す全体斜視図。
【図２】同実施形態に係る転写具を一部省略して示す側面図。
【図３】同分解斜視図。
【図４】同実施形態における詰替カートリッジの分解斜視図。
【図５】同実施形態における転写ヘッドを示す図。
【図６】同実施形態におけるヘッドキャップを示す図。
【図７】同実施形態の作用説明図。
【符号の説明】
【００５５】
１…詰替カートリッジ
１１…側板（第２外側板）
１１０ａ、１２０ａ…軸受け部（貫通孔）
１１５…凸部
１２…側板（内側板）
２…ケース
Ｉ…第１係合手段
ＩＩ…第２係合手段
Ａ…転写具
Ｃ…ヘッドキャップ
Ｃ１…アーム部
Ｃ１１…回転支軸
Ｃ１２ａ…嵌合凹部（凹部）
Ｃ２…収容部
Ｃ２２ａ…嵌合凹部（嵌合孔）
Ｃ２３１…操作部
Ｋ…転写ヘッド
Ｋ１１ａ…凸部
Ｔ…転写物（転写用糊）
【図１】
2005193410.tif 000003
【図２】
2005193410.tif 000004
【図３】
2005193410.tif 000005
【図４】
2005193410.tif 000006
【図５】
2005193410.tif 000007
【図６】
2005193410.tif 000008
【図７】
2005193410.tif 000009